(57)【要約】【課題】新規な光り方を見せられる宝石類の提供。【解決手段】クラウン３がテーブル２の周りに１２個の上部ファセット群６を有し、各上部ファセット群６は、テーブル２の一辺を一辺とする三角形状のファセットを有して、三角形状のファセットに２段の矩形状のファセットが、平面視において反時計回り方向に傾きながら、ガードル５に近づく方向に連設され、各上部ファセット群６の矩形状のファセットが、反時計回り方向における隣の上部ファセット群６の一段上のファセットに連接され、パビリオン４は、底面視における中心部の周りに１２個の下部ファセット群８を有し、各下部ファセット群８は、底部ファセットに３段の矩形状のファセットが、底面視において時計回り方向に傾きながら、ガードル５に近づく方向に連設され、各下部ファセット群８の矩形状のファセットが、時計回り方向における隣の下部ファセット群８の一段上のファセットに連接された宝石類１。【選択図】図１
2018149084.tif 000002
【特許請求の範囲】
【請求項１】
上面に正Ｎ角形状（Ｎ≧３）のテーブルを有するクラウンと、下方に略錐体状に突出するパビリオンと、前記クラウンと前記パビリオンとの境界部を構成するガードルとを備える宝石類において、
前記クラウンには、前記テーブルの各角部から前記ガードルの外周面の上縁部まで延びる稜線（以下、「上部稜線」という。）がそれぞれ形成され、
前記各上部稜線は、平面視において、前記ガードルの前記外周面に近づく程、時計回り方向又は反時計回り方向のいずれかの方向（以下、「上部回り方向」という。）に次第に折れ曲がるように、ｎ個（但し、ｎ≧２）の折曲部を有し、
前記各上部稜線における、前記テーブルの前記角部上の点を第１の点、前記各折曲部上の点及び前記ガードルの前記上縁部上の点を、第１の点に近い方から順に第２の点、第３の点、…と表記した場合、前記各上部稜線の第１の点及び第２の点と、前記上部回り方向における隣の前記上部稜線の第１の点とで囲まれる面が、略三角形状のファセットとされるとともに、前記各上部稜線の第ｉの点及び第（ｉ＋１）の点と、前記上部回り方向における隣の前記上部稜線の第（ｉ−１）の点及び第ｉの点とで囲まれる面が、それぞれ略矩形状のファセットとされ（但し、ｉ＝２〜ｎ＋１）、
前記パビリオンには、前記パビリオンの下端部から前記ガードルの前記外周面の下縁部まで延びる稜線（以下、「下部稜線」という。）が、前記パビリオンをＮ個に等分するように形成され、
前記各下部稜線は、底面視において、前記ガードルの前記外周面に近づく程、時計回り方向又は反時計回り方向のいずれかの方向（以下、「下部回り方向」という。）に次第に折れ曲がるように、ｍ個（但し、ｍ≧３）の折曲部を有し、
前記各下部稜線における前記各折曲部上の点及び前記ガードルの前記下縁部上の点を、前記パビリオンの前記下端部に近い方から順に第１の点、第２の点、…と表記した場合、前記各下部稜線の第ｊの点及び第（ｊ＋１）の点と、前記下部回り方向における隣の前記下部稜線の第（ｊ−１）の点及び第ｊの点とで囲まれる面が、それぞれ略矩形状のファセットとされている（但し、ｊ＝２〜ｍ）ことを特徴とする宝石類。
【請求項２】
平面視における前記上部回り方向と、平面視における前記下部回り方向とが、同一の方向であることを特徴とする請求項１に記載の宝石類。
【請求項３】
平面視において、前記各上部稜線における第１の点が、対応する前記下部稜線における第２の点に重なることを特徴とする請求項１又は２に記載の宝石類。
【請求項４】
平面視において、前記クラウンの前記略矩形状の各ファセットが、前記パビリオンの前記略矩形状のファセットに重なることを特徴とする請求項３に記載の宝石類。
【請求項５】
上面に正Ｎ角形状（Ｎ≧３）のテーブルを有するクラウンと、下方に略錐体状に突出するパビリオンと、前記クラウンと前記パビリオンとの境界部を構成するガードルとを備える宝石類において、
前記クラウンは、前記テーブルの周りにＮ個のファセット群（以下、「上部ファセット群」という。）を有し、
前記各上部ファセット群は、前記テーブルの一辺を一辺とする略三角形状のファセットを有して、前記略三角形状のファセットに、ｎ段（ｎ≧２）の略矩形状のファセットが、平面視において時計回り方向又は反時計回り方向のいずれかの方向（以下、「上部回り方向」という。）に傾きながら、前記ガードルに近づく方向に連設され、
前記各上部ファセット群において、前記略三角形状のファセット及び前記略矩形状のファセットを、前記テーブルに近い方から順に第１ファセット、第２ファセット、…と表記した場合、前記各上部ファセット群の第ｉファセットが、前記上部回り方向における隣の前記上部ファセット群の第（ｉ−１）ファセットに連接され（但し、ｉ＝２〜ｎ＋１）、
前記パビリオンは、底面視における中心部の周りにＮ個のファセット群（以下、「下部ファセット群」という。）を有し、
前記各下部ファセット群は、最下段となる底部ファセットを有して、前記底部ファセットに、ｍ段（ｍ≧２）の略矩形状のファセットが、底面視において時計回り方向又は反時計回り方向のいずれかの方向（以下、「下部回り方向」という。）に傾きながら、前記ガードルに近づく方向に連設され、
前記各下部ファセット群において、前記略矩形状のファセットを、前記底部ファセットに近い方から順に第１ファセット、第２ファセット、…と表記した場合、前記各下部ファセット群の第ｊファセットが、前記下部回り方向における隣の前記下部ファセット群の第（ｊ−１）ファセットに連接されている（但し、ｊ＝２〜ｍ）ことを特徴とする宝石類。
【発明の詳細な説明】
【技術分野】
【０００１】
本発明は、新規なカット面（切り子面）を有するダイヤモンド等の宝石類に関する。
【背景技術】
【０００２】
従来から、カットされたダイヤモンドとして、テーブルと称される中央の平面部分を有して略円錐台形状（截頭円錐形状）をなすクラウンと、略円錐形状をなすパビリオンと、クラウンとパビリオンとの境界周面をなす略円形状のガードルとを有するものが知られている（下記特許文献１参照）。
【先行技術文献】
【特許文献】
【０００３】
【特許文献１】特開２００６−２１８１６３号公報
【発明の概要】
【発明が解決しようとする課題】
【０００４】
ところで、ダイヤモンド等の宝石類では、身に着けて動かしたときの光り方が重要であり、新規な光り方を見せることができる宝石類が常に求められている。
【０００５】
そこで、本発明は、新規な光り方を見せることができる宝石類を提供することを目的とする。
【課題を解決するための手段】
【０００６】
本発明は、上面に正Ｎ角形状（Ｎ≧３）のテーブルを有するクラウンと、下方に略錐体状に突出するパビリオンと、前記クラウンと前記パビリオンとの境界部を構成するガードルとを備える宝石類において、
前記クラウンには、前記テーブルの各角部から前記ガードルの外周面の上縁部まで延びる稜線（以下、「上部稜線」という。）がそれぞれ形成され、
前記各上部稜線は、平面視において、前記ガードルの前記外周面に近づく程、時計回り方向又は反時計回り方向のいずれかの方向（以下、「上部回り方向」という。）に次第に折れ曲がるように、ｎ個（但し、ｎ≧２）の折曲部を有し、
前記各上部稜線における、前記テーブルの前記角部上の点を第１の点、前記各折曲部上の点及び前記ガードルの前記上縁部上の点を、第１の点に近い方から順に第２の点、第３の点、…と表記した場合、前記各上部稜線の第１の点及び第２の点と、前記上部回り方向における隣の前記上部稜線の第１の点とで囲まれる面が、略三角形状のファセットとされるとともに、前記各上部稜線の第ｉの点及び第（ｉ＋１）の点と、前記上部回り方向における隣の前記上部稜線の第（ｉ−１）の点及び第ｉの点とで囲まれる面が、それぞれ略矩形状のファセットとされ（但し、ｉ＝２〜ｎ＋１）、
前記パビリオンには、前記パビリオンの下端部から前記ガードルの前記外周面の下縁部まで延びる稜線（以下、「下部稜線」という。）が、前記パビリオンをＮ個に等分するように形成され、
前記各下部稜線は、底面視において、前記ガードルの前記外周面に近づく程、時計回り方向又は反時計回り方向のいずれかの方向（以下、「下部回り方向」という。）に次第に折れ曲がるように、ｍ個（但し、ｍ≧３）の折曲部を有し、
前記各下部稜線における前記各折曲部上の点及び前記ガードルの前記下縁部上の点を、前記パビリオンの前記下端部に近い方から順に第１の点、第２の点、…と表記した場合、前記各下部稜線の第ｊの点及び第（ｊ＋１）の点と、前記下部回り方向における隣の前記下部稜線の第（ｊ−１）の点及び第ｊの点とで囲まれる面が、それぞれ略矩形状のファセットとされている（但し、ｊ＝２〜ｍ）ことを特徴とする。
【０００７】
これによれば、宝石類は、クラウンにおける螺旋状のファセットの並びと、パビリオンにおける螺旋状のファセットの並びとを有することとなるため、身に着けて動かしたときに螺旋状（渦状）の光が見え、従来にない新規な光り方を見せることができる。
【０００８】
ここで、平面視における前記上部回り方向と、平面視における前記下部回り方向とが、同一の方向であることが好ましい。
【０００９】
これによれば、クラウンにおける螺旋状のファセットの並びと、パビリオンにおける螺旋状のファセットの並びとの平面視における螺旋の向き（回り方向）が同一となり、クラウンの表面（外面）で反射されて形成された螺旋状の光と、クラウンから宝石類の内部に入射してパビリオンの内面で反射されて形成された螺旋状の光との螺旋の向きが揃うこととなり、より綺麗な螺旋状の光が見えることとなる。
【００１０】
また、平面視において、前記各上部稜線における第１の点が、対応する前記下部稜線における第２の点に重なることが好ましい。
【００１１】
これによれば、テーブルから入射した光の大部分が、パビリオンの底部のファセットで反射されて、観察者の目に入ることとなるため、テーブルからの光が強くなり、テーブルからの光と、周囲のきらきらした螺旋状の光とのコントラストが強くなって、光り方がより綺麗に見えることとなる。
【００１２】
さらに、平面視において、前記クラウンの前記略矩形状の各ファセットが、前記パビリオンの前記略矩形状のファセットに重なることが好ましい。
【００１３】
これによれば、渦を巻くときの光が上下で揃って均一性が向上し、光り方がより綺麗に見えることとなる。
【００１４】
また、本発明は、上面に正Ｎ角形状（Ｎ≧３）のテーブルを有するクラウンと、下方に略錐体状に突出するパビリオンと、前記クラウンと前記パビリオンとの境界部を構成するガードルとを備える宝石類において、
前記クラウンは、前記テーブルの周りにＮ個のファセット群（以下、「上部ファセット群」という。）を有し、
前記各上部ファセット群は、前記テーブルの一辺を一辺とする略三角形状のファセットを有して、前記略三角形状のファセットに、ｎ段（ｎ≧２）の略矩形状のファセットが、平面視において時計回り方向又は反時計回り方向のいずれかの方向（以下、「上部回り方向」という。）に傾きながら、前記ガードルに近づく方向に連設され、
前記各上部ファセット群において、前記略三角形状のファセット及び前記略矩形状のファセットを、前記テーブルに近い方から順に第１ファセット、第２ファセット、…と表記した場合、前記各上部ファセット群の第ｉファセットが、前記上部回り方向における隣の前記上部ファセット群の第（ｉ−１）ファセットに連接され（但し、ｉ＝２〜ｎ＋１）、
前記パビリオンは、底面視における中心部の周りにＮ個のファセット群（以下、「下部ファセット群」という。）を有し、
前記各下部ファセット群は、最下段となる底部ファセットを有して、前記底部ファセットに、ｍ段（ｍ≧２）の略矩形状のファセットが、底面視において時計回り方向又は反時計回り方向のいずれかの方向（以下、「下部回り方向」という。）に傾きながら、前記ガードルに近づく方向に連設され、
前記各下部ファセット群において、前記略矩形状のファセットを、前記底部ファセットに近い方から順に第１ファセット、第２ファセット、…と表記した場合、前記各下部ファセット群の第ｊファセットが、前記下部回り方向における隣の前記下部ファセット群の第（ｊ−１）ファセットに連接されている（但し、ｊ＝２〜ｍ）ことを特徴とする。
【００１５】
これによれば、宝石類は、クラウンにおける螺旋状のファセットの並びと、パビリオンにおける螺旋状のファセットの並びとを有することとなるため、身に着けて動かしたときに螺旋状（渦状）の光が見え、従来にない新規な光り方を見せることができる。
【発明の効果】
【００１６】
本発明の宝石類によれば、新規な光り方を見せることができる。
【図面の簡単な説明】
【００１７】
【図１】第１実施形態の宝石類の斜視図である。
【図２】第１実施形態の宝石類の平面図である。
【図３】第１実施形態の宝石類の底面図である。
【図４】第１実施形態の宝石類の側面図である。
【図５】第１実施形態の宝石類のテーブル内に表れる下部稜線を破線表示した平面図である。
【図６】第１実施形態の宝石類のテーブルの周縁部を破線表示した底面図である。
【図７】第２実施形態の宝石類の平面図である。
【図８】第２実施形態の宝石類の底面図である。
【図９】第２実施形態の宝石類の側面図である。
【図１０】第２実施形態の宝石類の背面図である。
【図１１】第３実施形態の宝石類の平面図である。
【図１２】第３実施形態の宝石類の側面図である。
【図１３】第３実施形態の宝石類の底面図である。
【図１４】第４実施形態の宝石類の平面図である。
【図１５】第４実施形態の宝石類の側面図である。
【図１６】第４実施形態の宝石類の底面図である。
【発明を実施するための形態】
【００１８】
以下、本発明の実施形態を図面に基づいて説明する。なお、「宝石類」とは、天然宝石（貴石及び半貴石を含む。）及び模倣宝石（合成宝石、人造宝石及び模造宝石を含む。）を含む意である。
【００１９】
〈第１実施形態〉
図１〜４に示すように、第１実施形態の宝石類１は、カット（研磨を含む。）されたダイヤモンドであり、上面に正１２角形状のテーブル２を有するクラウン３と、下方に略錐体状に突出するパビリオン４と、クラウン３とパビリオン４との境界部を構成するガードル５とから構成されている。ここで、略錐体状とは、略円錐体状、略角錐体状、及び、截頭錐体状（截頭円錐体状及び截頭角錐体状）を含むものとする。ガードル５は、宝石類１の一番横幅（径）の広い部分であり、本実施形態では、平面視において正１２角形状に形成されている。また、平面視において、テーブル２の中心Ｏ（図２参照）と、ガードル５の中心と、パビリオン４の中心（下端部４０に相当）とは一致している。
【００２０】
図２に示すように、クラウン３には、テーブル２の１２個の各角部２０からガードル５の外周面５０の上縁部５１まで延びる稜線（以下、「上部稜線」という。）７が形成されている。すなわち、クラウン３には、テーブル２からガードル５まで延びる１２本の上部稜線７が形成されている。ガードル５は、少し厚み（上下方向の高さ）を有する正１２角形状をなしており、各上部稜線７はガードル５の角部５３の上端まで延びている。
【００２１】
各上部稜線７は、平面視において、ガードル５の外周面５０に近づく程、反時計回り方向（図２の矢印Ａで示す方向であり、以下、「上部回り方向」という。）に次第に折れ曲がるように、２個の折曲部７０を有している。折曲部７０を区別するときは、テーブル２に近い方から折曲部７０ａ、７０ｂと表記する。
【００２２】
詳説すれば、各上部稜線７において、テーブル２の角部２０上の点を第１の点ＵＰ１、折曲部７０ａ上の点を第２の点ＵＰ２、折曲部７０ｂ上の点を第３の点ＵＰ３、ガードル５の上縁部５１上の点を第４の点ＵＰ４と表記した場合、平面視において、テーブル２の中心Ｏから延びて第１の点ＵＰ１を通るテーブル２の径方向（図２の二点鎖線参照）に対し、第２の点ＵＰ２は上部回り方向にずれ、第３の点ＵＰ３は第２の点ＵＰ２からさらに上部回り方向にずれ、第４の点ＵＰ４は第３の点ＵＰ３からさらに上部回り方向にずれて配置されている。以下、第１の点ＵＰ１、第２の点ＵＰ２、第３の点ＵＰ３、第４の点ＵＰ４を区別しないときは、点ＵＰと表記する。
【００２３】
テーブル２の中心Ｏと第１の点ＵＰ１とを結ぶ直線（図２の二点鎖線参照）と、テーブル２の中心Ｏと第４の点ＵＰ４とを結ぶ直線とがなす角度（すなわち、テーブル２がなす正１２角形に対するガードル５がなす正１２角形の回転角度）は、ここでは約１１°であるが、製造の容易さやデザイン上の観点等から７°以上１３°以下の範囲内で適宜の角度とすればよい。
【００２４】
そして、各上部稜線７の第１の点ＵＰ１及び第２の点ＵＰ２と、上部回り方向における隣の上部稜線７（例えば、図２に示す上部稜線７ａにとっては上部稜線７ｂ）の第１の点ＵＰ１とで囲まれる面が、三角形状の第１ファセットＵＦ１とされる。なお、ファセットとは切り子面のことであり、ここではカットにより形成されるが、カット以外の方法で形成されてもよい。
【００２５】
また、各上部稜線７の第２の点ＵＰ２及び第３の点ＵＰ３と、上部回り方向における隣の上部稜線７の第１の点ＵＰ１及び第２の点ＵＰ２とで囲まれる面が、矩形状（ここでは、略台形状）の第２ファセットＵＦ２とされ、各上部稜線７の第３の点ＵＰ３及び第４の点ＵＰ４と、上部回り方向における隣の上部稜線７の第２の点ＵＰ２及び第３の点ＵＰ３とで囲まれる面が、矩形状（ここでは、略台形状）の第３ファセットＵＦ３とされる。
【００２６】
さらに、各上部稜線７の第４の点ＵＰ４と、上部回り方向における隣の上部稜線７の第３の点ＵＰ３及び第４の点ＵＰ４とで囲まれる面が、三角形状の第４ファセットＵＦ４とされる。
【００２７】
なお、第１ファセットＵＦ１、第２ファセットＵＦ２、第３ファセットＵＦ３、第４ファセットＵＦ４を、区別しないときは、ファセットＵＦと表記する。第１ファセットＵＦ１、第２ファセットＵＦ２、第３ファセットＵＦ３、第４ファセットＵＦ４は、この順に、テーブル２に対してなす角度が大きくなるように形成されている。
【００２８】
換言すれば、クラウン３は、テーブル２の周りに１２個のファセット群（以下、「上部ファセット群」という。）６を有している。各上部ファセット群６は、テーブル２の周縁部（外周縁）２１、隣り合う２本の上部稜線７、７、及び、ガードル５の上縁部５１で囲まれた部分であり、４段のファセットＵＦ（すなわち、第１ファセットＵＦ１、第２ファセットＵＦ２、第３ファセットＵＦ３、及び、第４ファセットＵＦ４）から構成される。
【００２９】
各上部ファセット群６は、テーブル２の一辺を一辺とする三角形状の第１ファセットＵＦ１を有して、第１ファセットＵＦ１に、２段の矩形状のファセットＵＦ（すなわち、第２ファセットＵＦ２及び第３ファセットＵＦ３）が、平面視において上部回り方向に傾きながらガードル５に近づく方向に連設されている。いわば、各上部ファセット群６のファセットＵＦは、テーブル２の中心Ｏを中心として上部回り方向にひねられた態様で並んでいる。ここで、「平面視においてファセットＵＦが上部回り方向に傾く」とは、平面視において、ファセットＵＦがガードル５の径方向に対し上部回り方向に傾くことをいい、さらに具体的には、ファセットＵＦの長手方向における中央部が、ガードル５の径方向に対し上部回り方向に傾く（換言すれば、ずれる）ことをいう。
【００３０】
そして、各上部ファセット群６の第２ファセットが、上部回り方向における隣の上部ファセット群６（例えば、図２に示す上部ファセット群６ａにとっては上部ファセット群６ｂ）の第１ファセットに連接され、各上部ファセット群６の第３ファセットが、上部回り方向における隣の上部ファセット群６の第２ファセットに連接され、各上部ファセット群６の第４ファセットが、上部回り方向における隣の上部ファセット群６の第３ファセットに連接されている。ここで、ファセットが連接されているとは、それらのファセットが同一の辺を共有している状態をいうものとする。
【００３１】
このように、各上部ファセット群６のファセットＵＦは、上部回り方向における隣の上部ファセット群６における一段上の（すなわち、テーブル２に一段近づく）ファセットＵＦに連接されているので、図２に格子模様を付けて示すように、上部回り方向に回りながらテーブル２に近づく螺旋状のファセットＵＦの並びが形成され、かかる螺旋状の並びが、テーブル２を囲繞するように１２個形成されることとなる。
【００３２】
図３に示すように、パビリオン４には、パビリオン４の下端部４０からガードル５の外周面５０の下縁部５２まで延びる稜線（以下、「下部稜線」という。）９が、パビリオン４を１２個に等分するように形成されている。すなわち、パビリオン４には、下端部４０からガードル５まで延びる１２本の下部稜線９が形成されている。各下部稜線９はガードル５の角部５３の下端まで延びている。
【００３３】
各下部稜線９は、底面視において、ガードル５の外周面５０に近づく程、時計回り方向（図３の矢印Ｂで示す方向であり、以下、「下部回り方向」という。）に次第に折れ曲がるように、４個の折曲部９０を有している。折曲部９０を区別するときは、下端部４０に近い方から折曲部９０ａ、９０ｂ、９０ｃ、９０ｄと表記する。
【００３４】
詳説すれば、各下部稜線９において、折曲部９０ａ上の点を第１の点ＬＰ１、折曲部９０ｂ上の点を第２の点ＬＰ２、折曲部９０ｃ上の点を第３の点ＬＰ３、折曲部９０ｄ上の点を第４の点ＬＰ４、ガードル５の下縁部５２上の点を第５の点ＬＰ５と表記した場合、底面視において、下端部４０から延びて第１の点ＬＰ１を通るパビリオン４の径方向に対し、第２の点ＬＰ２は下部回り方向にずれ、第３の点ＬＰ３は第２の点ＬＰ２からさらに下部回り方向にずれ、第４の点ＬＰ４は第３の点ＬＰ３からさらに下部回り方向にずれ、第５の点ＬＰ５は第４の点ＬＰ４からさらに下部回り方向にずれて配置されている。以下、第１の点ＬＰ１、第２の点ＬＰ２、第３の点ＬＰ３、第４の点ＬＰ４を区別しないときは、点ＬＰと表記する。
【００３５】
そして、各下部稜線９の第１の点ＬＰ１及び第２の点ＬＰ２と、下部回り方向における隣の前記下部稜線９（例えば、図３に示す下部稜線９ａにとっては下部稜線９ｂ）の第１の点ＬＰ１と、下端部４０上の点とで囲まれる面が、三角形状に近い矩形状の底部ファセットＢＦとされている。底部ファセットＢＦは下端部４０の周りに１２個放射状に配置され、この１２個の底部ファセットＢＦからなるファセット群を、以下、底部ファセット群１０と表記する。
【００３６】
また、各下部稜線９の第２の点ＬＰ２及び第３の点ＬＰ３と、下部回り方向における隣の下部稜線９の第１の点ＬＰ１及び第２の点ＬＰ２とで囲まれる面が、矩形状（ここでは、略台形状）のファセットＬＦ１とされ、各下部稜線９の第３の点ＬＰ３及び第４の点ＬＰ４と、下部回り方向における隣の下部稜線９の第２の点ＬＰ２及び第３の点ＬＰ３とで囲まれる面が、矩形状（ここでは、略台形状）のファセットＬＦ２とされ、各下部稜線９の第４の点ＬＰ４及び第５の点ＬＰ５と、下部回り方向における隣の下部稜線９の第３の点ＬＰ３及び第４の点ＬＰ４とで囲まれる面が、矩形状（ここでは、略台形状）のファセットＬＦ３とされている。
【００３７】
さらに、各下部稜線９の第５の点ＬＰ５と、下部回り方向における隣の下部稜線９の第４の点ＬＰ４及び第５の点ＬＰ５とで囲まれる面が、三角形状のファセットＬＦ４とされている。
【００３８】
なお、第１ファセットＬＦ１、第２ファセットＬＦ２、第３ファセットＬＦ３、第４ファセットＬＦ４を、区別しないときは、ファセットＬＦと表記する。第１ファセットＬＦ１、第２ファセットＬＦ２、第３ファセットＬＦ３、第４ファセットＬＦ４は、この順に、底部ファセットＢＦに対してなす角度が大きくなるように形成されている。
【００３９】
換言すれば、パビリオン４は、底面視における中心部（すなわち下端部４０）の周りに１２個のファセット群（以下、「下部ファセット群」という。）８を有している。各下部ファセット群８は、隣り合う２本の下部稜線９、９、及び、ガードル５の下縁部５２で囲まれた部分であり、底部ファセットＢＦ及び４段のファセットＬＦ（すなわち、第１ファセットＬＦ１、第２ファセットＬＦ２、第３ファセットＬＦ３、及び、第４ファセットＬＦ４）から構成される。
【００４０】
各下部ファセット群８は、最下段となる底部ファセットＢＦを有して、底部ファセットＢＦに、３段の矩形状のファセットＬＦ（すなわち、第１ファセットＬＦ１、第２ファセットＬＦ２、及び、第３ファセットＬＦ３）が、底面視において下部回り方向に傾きながら、ガードル５に近づく方向に連設されている。いわば、各下部ファセット群８のファセットＬＦは、パビリオン４の下端部４０を中心として下部回り方向にひねられた態様で並んでいる。ここで、「平面視においてファセットＬＦが下部回り方向に傾く」とは、平面視において、ファセットＬＦがガードル５の径方向に対し下部回り方向に傾くことをいい、さらに具体的には、ファセットＬＦの長手方向における中央部が、ガードル５の径方向に対し下部回り方向に傾く（換言すれば、ずれる）ことをいう。
【００４１】
そして、各下部ファセット群８の第２ファセットＬＦ２が、下部回り方向における隣の下部ファセット群８（例えば、図３に示す下部ファセット群８ａにとっては下部ファセット群８ｂ）の第１ファセットＬＦ１に連接され、各下部ファセット群８の第３ファセットＬＦ３が、下部回り方向における隣の下部ファセット群８の第２ファセットＬＦ２に連接され、各下部ファセット群８の第４ファセットＬＦ４が、下部回り方向における隣の下部ファセット群８の第３ファセットＬＦ３に連接されている。また、各下部ファセット群８の第１ファセットＬＦ１は、下部回り方向における隣の下部ファセット群８の底部ファセットＢＦの一辺に連接されている。
【００４２】
このように、各下部ファセット群８の第２ファセットＬＦ２、第３ファセットＬＦ３、及び、第４ファセットＬＦ４は、下部回り方向における隣の下部ファセット群８における一段下の（すなわち、底部ファセット群１０に一段近づく）ファセットＬＦに連接されているので、図３に格子模様を付けて示すように、下部回り方向に回りながら底部ファセット群１０に近づく螺旋状のファセットＬＦの並びが形成され、かかる螺旋状の並びが、底部ファセット群１０を囲繞するように１２個形成されることとなる。
【００４３】
ここで、平面視における上部回り方向（図２の矢印Ａで示す方向）と、底面視における下部回り方向（図３の矢印Ｂで示す方向）とは、反対の方向であり、換言すれば、平面視における上部回り方向と平面視における下部回り方向とは、同一の方向である。したがって、上述したクラウン３における螺旋状のファセットＵＦの並びと、パビリオン４における螺旋状のファセットＬＦの並びとは、平面視においては同一回り方向（ここでは、反時計回り方向）に螺旋を描くこととなる。
【００４４】
また、図５、６に示すように、平面視において、上部稜線７の第１の点ＵＰ１は、対応する下部稜線９の第２の点ＬＰ２に重なっている。換言すれば、各底部ファセットＢＦの下端部４０（底面視におけるパビリオン４の中心部に相当）から最も遠い端部（折曲部９０ｂに相当。）が、テーブル２の周縁部２１に平面視において重なっている。なお、図５においては、各底部ファセットＢＦを破線で示し、図６においては、テーブル２を破線で示している。ここで、上部稜線７に対応する下部稜線９とは、上部稜線７と同じ角部５３まで延びている下部稜線９、換言すれば、上部稜線７の第４の点ＵＰ４と平面視において重なる第５の点ＬＰ５を有する下部稜線９をいう。上部稜線７と下部稜線９とは１対１に対応している。
【００４５】
さらに、図５、６に示すように、平面視において、各上部稜線７における第２の点ＵＰ２、第３の点ＵＰ３は、対応する下部稜線９における第３の点ＬＰ３、第４の点ＬＰ４に、それぞれ重なっている。
【００４６】
そして、上述したように、平面視において、各上部稜線７の第４の点ＵＰ４と、対応する下部稜線９の第５の点ＬＰ５とは重なるのであるから、各上部稜線７は、対応する下部稜線９の一部（具体的には、第２の点ＬＰ２から第５の点ＬＰ５までの部分）に重なっているといえる。
【００４７】
このように平面視において上部稜線７が下部稜線９に重なっていることから、平面視において、上述したクラウン３における螺旋状のファセットＵＦの並びは、パビリオン４における螺旋状のファセットＬＦの並びに重なることとなる。すなわち、上部ファセット群６における第２ファセットＵＦ２、第３ファセットＵＦ３、第４ファセットＵＦ４は、平面視において、下部ファセット群８の第２ファセットＬＦ２、第３ファセットＬＦ３、第４ファセットＬＦ４に、それぞれ重なっている。また、上部ファセット群６における第１ファセットＵＦ１は、平面視において下部ファセット群８の第１ファセットＬＦ１の略半分（具体的には、第１ファセットＬＦ１を第２の点ＬＰ２を通る対角線で２分割したときの第２ファセットＬＦ２側の部分）に重なっている。
【００４８】
以上説明したように、宝石類１は、各上部稜線７が、平面視において、ガードル５の外周面５０に近づく程、上部回り方向に次第に折れ曲がるように、折曲部７０ａ、７０ｂを有し、各上部稜線７における、テーブル２の角部２０上の点を第１の点ＵＰ１、折曲部７０ａ、７０ｂ上の点及びガードル５の上縁部５１上の点を、第１の点ＵＰ１に近い方から順に第２の点ＵＰ２、第３の点ＵＰ３、…と表記した場合、各上部稜線７の第１の点ＵＰ１及び第２の点ＵＰ２と、上部回り方向における隣の上部稜線７の第１の点ＵＰ１とで囲まれる面が、三角形状のファセットＵＦ１とされるとともに、各上部稜線７の第ｉの点及び第（ｉ＋１）の点と、前記上部回り方向における隣の前記上部稜線の第（ｉ−１）の点及び第ｉの点とで囲まれる面が、それぞれ矩形状のファセットＵＦ２、ＵＦ３とされ（但し、ｉ＝２，３）、各下部稜線９は、底面視において、ガードル５の外周面５０に近づく程、下部回り方向に次第に折れ曲がるように、折曲部９０ａ、９０ｂ、９０ｃ、９０ｄを有し、各下部稜線９における折曲部９０ａ、９０ｂ、９０ｃ、９０ｄ上の点及びガードル５の下縁部５２上の点を、パビリオン４の下端部４０に近い方から順に第１の点ＬＰ１、第２の点ＬＰ２、…と表記した場合、各下部稜線９の第ｊの点及び第（ｊ＋１）の点と、下部回り方向における隣の下部稜線９の第（ｊ−１）の点及び第ｊの点とで囲まれる面が、それぞれ矩形状のファセットＬＦ１、ＬＦ２、ＬＦ３とされている（但し、ｊ＝２〜４）。
【００４９】
換言すれば、各上部ファセット群６の第１ファセットＵＦ１に、２段の矩形状のファセットＵＦが、平面視において上部回り方向に傾きながら、ガードル５に近づく方向に連設されている。そして、各上部ファセット群６の第ｉファセットが、上部回り方向における隣の上部ファセット群６の第（ｉ−１）ファセットに連接されている（但し、ｉ＝２，３）。また、各下部ファセット群８の底部ファセットＢＦに、３段の矩形状のファセットＬＦが、底面視において下部回り方向に傾きながら、ガードル５に近づく方向に連設されている。そして、各下部ファセット群８の第ｊファセットが、下部回り方向における隣の下部ファセット群８の第（ｊ−１）ファセットに連接されている（但し、ｊ＝２，３）。
【００５０】
したがって、宝石類１は、クラウン３における螺旋状のファセットＵＦの並びと、パビリオン４における螺旋状のファセットＬＦの並びとを有することとなり、このため、身に着けて動かしたときに螺旋状（渦状）の光が見え、従来にない新規な光り方を見せることができる。
【００５１】
なお、第１ファセットＵＦ１、第２ファセットＵＦ２、及び、第３ファセットＵＦ３の並びにより、螺旋状の光を見せられるため、クラウン３の最下段のファセットＵＦ（ガードル５に接しているファセット。ここでは、第４ファセットＵＦ４）は、上述した形態でなくてもよい。但し、上述したように、クラウン３の最下段のファセットＵＦが三角形状をなして、上部回り方向における隣の上部ファセット群６の一段上のファセットＵＦ（ここでは、第３ファセットＵＦ３）に連接されていれば、より綺麗に螺旋状の光を見せることができる。
【００５２】
同様に、第１ファセットＬＦ１、第２ファセットＬＦ２、及び、第３ファセットＬＦ３の並びにより、螺旋状の光を見せられるため、パビリオン４の最上段のファセットＬＦ（ガードル５に接しているファセット。ここでは、第４ファセットＬＦ４）は、上述した形態でなくてもよい。但し、上述したように、パビリオン４の最上段のファセットＬＦが三角形状をなして、下部回り方向における隣の下部ファセット群８の一段下のファセットＬＦ（ここでは、第３ファセットＬＦ３）に連接されていれば、より綺麗に螺旋状の光を見せることができる。
【００５３】
また、宝石類１では、平面視における上部回り方向と平面視における下部回り方向とは、同一の方向であるため、クラウン３における螺旋状のファセットＵＦの並びと、パビリオン４における螺旋状のファセットＬＦの並びとは、平面視において螺旋の向き（回り方向）が同一である。このため、クラウン３の表面（外面）で反射されて形成された螺旋状の光と、クラウン３から宝石類１の内部に入射してパビリオン４の内面で反射されて形成された螺旋状の光との螺旋の向きが揃うこととなり、より綺麗な螺旋状の光が見えることとなる。
【００５４】
さらに、宝石類１では、平面視において、各上部稜線７における第１の点ＵＰ１が、対応する下部稜線９における第２の点ＬＰ２に重なっている。換言すれば、平面視において、各底部ファセットＢＦの下端部４０から最も遠い端部が、テーブル２の周縁部２１に平面視において重なっている。さらに換言すれば、平面視において、テーブル２の周縁部２１に、底部ファセット群１０の外周縁が接している。テーブル２からは多くの光が宝石類１の内部に入射するが、そのテーブル２から入射した光の大部分が、底部ファセット群１０で反射されて、観察者の目に入ることとなるため、テーブル２からの光が強くなり、テーブル２からの光と、周囲のきらきらした螺旋状の光とのコントラストが強くなって、光り方がより綺麗に見えることとなる。
【００５５】
また、宝石類１では、平面視において、クラウン３の矩形状のファセットＵＦ（ここでは、第２ファセットＵＦ２、第３ファセットＵＦ３）が、パビリオン４の矩形状のファセットＬＦ（ここでは、第２ファセットＬＦ２、第３ファセットＬＦ３）に重なっている。したがって、渦を巻くときの光が上下で揃って均一性が向上し、光り方がより綺麗に見えることとなる。なお、本実施形態では、第４ファセットＵＦ４と第４ファセットＬＦ４も、平面視において重なるが、必ずしも重ならなくてもよい。但し、これらが重なっていれば、より光が上下で揃って均一性が向上することとなる。
【００５６】
〈第２〜４実施形態〉
次に、第２〜４実施形態について説明するが、第１実施形態の構成要素と共通する構成要素については、第１実施形態と同じ符号を付して、その説明を適宜省略する。
【００５７】
第２実施形態の宝石類１Ｂは、図７〜１０に示すように、テーブル２が正１０角形状とされ、それに伴って、上部ファセット群６、下部ファセット群８がそれぞれ１０個とされている他は、第１実施形態の宝石類１と同様に構成されている。したがって、第１実施形態と同様の効果が得られる。なお、第２実施形態ではテーブル２の角数が４の倍数ではないので、図９、１０に示すように、横から見る方向を９０°変えた場合に、見え方が変わることとなる。
【００５８】
第３実施形態の宝石類１Ｃは、図１１〜１３に示すように、テーブル２が正８角形状とされ、それに伴って、上部ファセット群６、下部ファセット群８がそれぞれ８個とされている他は、第１実施形態の宝石類１と同様に構成されている。したがって、第１実施形態と同様の効果が得られる。
【００５９】
第４実施形態の宝石類１Ｄは、図１４〜１６に示すように、テーブル２は、第１実施形態と同様、正１２角形状とされているが、ガードル５が厚みを有する円形状とされている。すなわち、ガードル５が、第１実施形態のような角部５３を有してなく、平面視において円形状とされて、上部稜線７及び下部稜線９は、それぞれ、ガードル５を平面視において１２等分する位置まで延びている。また、上部ファセット群６の第４ファセットＵＦ４は、ガードル５の上縁部５１と共通する辺が曲線状とされた略三角形状、下部ファセット群８の第４ファセットＬＦ４は、ガードル５の下縁部５２と共通する辺が曲線状とされた略三角形状とされている。その他の構成は、第１実施形態と同様である。したがって、第１実施形態と同様の効果が得られる。
【００６０】
〈その他の変形例等〉
テーブル２を上述した実施形態以外の正多角形状としてもよい。但し、テーブル２は正８角形状から正１６角形状であることが好ましい。すなわち、テーブル２の形状を正Ｎ角形状と表記したとき、Ｎは３以上であればよいが、好ましくは８以上１６以下とする。テーブル２の角数が８より少ないと、光の粒が荒くなり過ぎて、きらきらした光（シンチレーション）が出難くなり、１６より多いと、光の粒が細かくなり過ぎて、螺旋状の光が視認し難くなるからである。さらに、デザインのバランスの面から、Ｎは偶数であることが好ましく、さらには４の倍数であることが好ましい。
【００６１】
上部ファセット群６におけるファセットＵＦ、及び、下部ファセット群８におけるファセットＬＦは４段でなくてもよい。換言すれば、折曲部７０、９０の数は上述したものに限らない。但し、螺旋状の光を見せるためには、３段以上が必要である。一方、段数が多くなり過ぎると、光の粒が細かくなり過ぎて螺旋状の光が視認し難くなるため、３〜５段の範囲が好ましい。
【００６２】
また、上部ファセット群６のファセットＵＦの段数と下部ファセット群８のファセットＬＦの段数とは同一でなくてもよいが、同一とすること、換言すれば、螺旋状の並びを形成するファセットＵＦ、ＬＦの数を、クラウン３側とパビリオン４側とで同一とすることが、光の均一性向上のためには好ましい。
【００６３】
上部稜線７の各点ＵＰ間、下部稜線９の各点ＬＰ間を、直線ではなく曲線としてもよい。かかる場合、折曲部７０、９０とは、曲率が大きく変化する部分をいう。したがって、第１ファセットＵＦ１は、三辺を直線とする三角形状でなくてもよく、略三角形状であればよく、第２ファセットＵＦ２、第３ファセットＵＦ３は、四辺を直線とする矩形状でなくてもよく、略矩形状であればよい。また、上記実施形態では、第２ファセットＵＦ２、第３ファセットＵＦ３を、略台形状としたが、略台形状以外の略矩形状としてもよい。パビリオン４のファセットＬＦについても同様である。
【００６４】
底部ファセットＢＦの形状も上記したものに限られず、例えば、さらに小さいファセットに分割して構成してもよい。
【００６５】
下端部４０をテーブル２に平行な面を有するようにカットしてもよい。すなわち、パビリオン４を截頭錐体状としてもよい。かかる場合、パビリオン４の下端部４０は面となるため、下端部４０の底面視における中心部が、パビリオン４の底面視における中心部に相当することとなる。
【符号の説明】
【００６６】
１、１Ｂ、１Ｃ、１Ｄ…宝石類
２…テーブル
３…クラウン
４…パビリオン
５…ガードル
６…上部ファセット群
７…上部稜線
８…下部ファセット群
９…下部稜線
５０…外周面
５１…上縁部
５２…下縁部
７０，７０ａ，７０ｂ…折曲部
９０，９０ａ，９０ｂ，９０ｃ，９０ｄ…折曲部
ＢＦ…底部ファセット
ＬＦ１、ＵＦ１…第１ファセット
ＬＦ２、ＵＦ２…第２ファセット
ＬＦ３、ＵＦ３…第３ファセット
ＬＦ４、ＵＦ４…第４ファセット
ＬＰ１、ＵＰ１…第１の点
ＬＰ２、ＵＰ２…第２の点
ＬＰ３、ＵＰ３…第３の点
ＬＰ４、ＵＰ４…第４の点
ＬＰ５…第５の点
【図１】
2018149084.tif 000003
【図２】
2018149084.tif 000004
【図３】
2018149084.tif 000005
【図４】
2018149084.tif 000006
【図５】
2018149084.tif 000007
【図６】
2018149084.tif 000008
【図７】
2018149084.tif 000009
【図８】
2018149084.tif 000010
【図９】
2018149084.tif 000011
【図１０】
2018149084.tif 000012
【図１１】
2018149084.tif 000013
【図１２】
2018149084.tif 000014
【図１３】
2018149084.tif 000015
【図１４】
2018149084.tif 000016
【図１５】
2018149084.tif 000017
【図１６】
2018149084.tif 000018